(57)【要約】【課題】各医療機関に設けられた端末から送信された様々なデータを、統一のデータ形式の医療用画像に変換して保存し、どのような回線状況であってもネットワークを通じて当該医療用画像を表示することができる医療支援サーバを提供する。【解決手段】このサーバは、医療施設に設けられた第１の端末および第２の端末と、ネットワークを介して互いに通信可能に接続された医療支援サーバであって、患者に関する情報を記憶する記憶手段と、第１または第２の端末から送信された画像を統一のデータ形式の医療用画像に変換する変換手段と、画像に付加された情報を読み込んで、当該情報と記憶手段に登録されている情報を紐付ける紐付け手段と、変換した医療用画像を紐付けて記憶手段に登録する登録手段と、登録された医療用画像を表示するための表示情報を前記第１または第２の端末に送信する送信手段と、を備える。【選択図】図１
2016224536.tif 000002
【特許請求の範囲】
【請求項１】
医療施設に設けられた第１の端末および第２の端末と、ネットワークを介して互いに通信可能に接続された医療支援サーバであって、
患者に関する情報を記憶する記憶手段と、
前記第１または第２の端末から送信された、前記患者に関する情報が付加された画像を統一のデータ形式の医療用画像に変換する変換手段と、
前記画像に付加された情報を読み込んで、前記情報と前記記憶手段に登録されている情報を紐付ける紐付け手段と、
前記変換した医療用画像を前記紐付け手段により紐付けて前記記憶手段に登録する登録手段と、
前記記憶手段に登録された前記医療用画像を表示するための表示情報を前記第１または第２の端末に送信する送信手段と、
を備える
ことを特徴とする医療支援サーバ。
【請求項２】
前記登録手段は、前記記憶手段に前記患者の情報が登録されているか否かを判定し、前記データベースに前記患者の情報が登録されていない場合、前記患者の情報を、前記変換した医療用画像と共に新規に登録する
ことを特徴とする請求項１に記載の医療支援サーバ。
【請求項３】
前記第１の端末と前記第２の端末との間でカンファレンスを実行し、前記カンファレンス時に前記記憶手段に登録されている医療用画像を前記第１の端末および第２の端末で共有表示するために前記表示情報を生成する画像共有手段を備えるカンファレンス実行手段
をさらに備え、
前記第１または第２の端末から送信された操作情報に基づいて、前記カンファレンス実行手段は、前記カンファレンスを実行すると共に、前記医療用画像を前記第１および第２の端末に表示するための表示情報を生成する
ことを特徴とする請求項１または２に記載の医療支援サーバ。
【請求項４】
前記登録手段により登録された前記変換した医療用画像に含まれるデータの内容が所定の条件を満たすか否かを判定する判定手段
をさらに備え、
前記判定手段により前記所定の条件を満たさないと判定された場合、前記送信手段は、前記所定の条件を満たすことを求める要求を送信する
ことを特徴とする請求項１〜３のいずれか１項に記載の医療支援サーバ。
【請求項５】
前記判定手段は、複数存在し、前記登録手段は、前記複数の判定手段の各判定手段における判定基準に応じた判定結果を前記記憶手段に登録する
ことを特徴とする請求項４に記載の医療支援サーバ。
【請求項６】
前記画像に付加された患者に関する情報は、各種検査情報、前記検査に係る画像情報、または紹介状情報である
ことを特徴とする請求項１〜４のいずれか１項に記載の医療支援サーバ。
【請求項７】
前記統一のデータ形式の医療用画像は、ＤＩＣＯＭ画像である
ことを特徴とする請求項１〜５のいずれか１項に記載の医療支援サーバ。
【請求項８】
医療支援サーバと、互いに遠隔地にある医療施設に設けられた第１の端末および第２の端末とが、ネットワークを介して互いに通信可能な医療支援システムであって、
前記第１または第２の端末は、
患者に関する情報を画像に付加する付加手段と、
前記医療支援サーバに対して、前記患者に関する情報が付加された画像を送信する画像送信手段と、
表示情報に基づいて画像を表示する表示手段と、
を備え、
前記医療支援サーバは、
前記患者に関する情報を記憶する記憶手段と、
前記画像送信手段から送信された、前記患者に関する情報が付加された画像を統一のデータ形式の医療用画像に変換する変換手段と、
前記画像に付加された情報を読み込んで、前記情報と記憶手段に登録されている情報を紐付ける紐付け手段と、
前記紐付け手段により紐付けられた前記変換した医療用画像を前記データベースに登録する登録手段と、
前記データベースに登録された医療用画像を表示するための前記表示情報を前記第１または第２の端末に送信する送信手段と、
を備え、
前記医療支援サーバは、前記第１の端末から前記データベースに登録された医療用画像を表示するための操作情報を受信した場合、前記表示情報を前記送信手段から前記第１の端末に送信し、前記第１の端末の表示手段は、前記表示情報に基づいて前記データベースに登録された医療用画像を表示する
ことを特徴とする医療支援システム。
【発明の詳細な説明】
【技術分野】
【０００１】
本発明は、医療支援サーバ及び医療支援システムに関する。具体的には、ネットワークを用いて、データをアップロードし、双方向に画像を共有することができる医療支援サーバに関する。
【背景技術】
【０００２】
近年、各医療機関で管理されているデータを他の医療機関と共有するため、データを管理する管理サーバを設置し、各医療機関から管理サーバにデータをアップロードし、各医療機関から管理サーバにアクセスすることにより、互いのデータの供給、取得を可能としている。例えば、特許文献１には、患者の紹介元の医療機関が地域医療連携サーバに患者情報を登録し、患者の紹介先の医療機関が地域医療連携サーバから患者情報を取得する方法が開示されている。
【先行技術文献】
【特許文献】
【０００３】
【特許文献１】特開２００５−１２２３８０号公報
【発明の概要】
【発明が解決しようとする課題】
【０００４】
しかしながら、特許文献１では、医療機関毎に患者の情報を格納しているため、患者のデータが重複して格納されてしまう恐れがある。また、各医療機関では、様々な形式でデータが管理されており、例えば、電子カルテなどメーカーによって異なり、統一されていないことが多い。さらに、医療機関によっては、インターネット回線などのネットワーク回線の帯域が狭い場合もある。この場合、患者情報のうち、医療用画像をダウンロードして表示することが容易ではない。
【０００５】
本発明は、上記の課題を鑑み、各医療機関に設けられた端末から送信された様々なデータを、統一のデータ形式の医療用画像に変換して保存し、どのような回線状況であってもネットワークを通じて当該医療用画像を表示することができる医療支援サーバを提供することを目的とする。
【課題を解決するための手段】
【０００６】
上記課題を解決するために、本発明は、医療施設に設けられた第１の端末および第２の端末と、ネットワークを介して互いに通信可能に接続された医療支援サーバであって、患者に関する情報を記憶する記憶手段と、前記第１または第２の端末から送信された、前記患者に関する情報が付加された画像を統一のデータ形式の医療用画像に変換する変換手段と、前記画像に付加された情報を読み込んで、前記情報と前記記憶手段に登録されている情報を紐付ける紐付け手段と、前記変換した医療用画像を前記紐付け手段により紐付けて前記記憶手段に登録する登録手段と、前記記憶手段に登録された前記医療用画像を表示するための表示情報を前記第１または第２の端末に送信する送信手段と、を備えることを特徴とする。
【発明の効果】
【０００７】
本発明によれば、各医療機関に設けられた端末から送信された様々なデータを、統一のデータ形式の医療用画像に変換して保存し、どのような回線状況であってもネットワークを通じて当該医療用画像を表示することができる医療支援サーバを提供することができる。
【図面の簡単な説明】
【０００８】
【図１】遠隔医療ネットワークシステムの全体を示す概略図である。
【図２】本発明の一実施形態に係る管理サーバのブロック図である。
【図３】データのアップロードおよび閲覧の処理を示すフローチャートである。
【図４】データをアップロードする際の詳細な処理を示すフローチャートである。
【図５】管理サーバのデータを閲覧する際の詳細な処理を示すフローチャートである。
【図６】カンファレンスを実行する際のフローチャートである。
【発明を実施するための形態】
【０００９】
本発明の医療支援システムの一実施形態に係る遠隔医療ネットワークシステムについて、図面を参照して説明する。尚、以下に示す実施例は本発明の遠隔医療ネットワークシステムにおける好適な具体例であり、施術的に好ましい種々の限定を付している場合もあるが、本発明の技術範囲は、特に本発明を限定する記載が無い限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。従って、以下に示す実施形態の記載をもって、特許請求の範囲に記載された発明の内容を限定するものではない。
【００１０】
まず、図１を参照して、本実施形態に係る遠隔医療ネットワークシステムは、ネットワーク１０１を通じて互いに双方向通信可能に接続した管理サーバ（医療支援サーバ）１００と、第１の端末１０２と、第２の端末１０３とを含む。第１の端末１０２および第２の端末１０３は、それぞれ異なる医療施設に設けられた端末であり、本実施形態では、２つの端末を例にしているが、これに限定することなく、例えば、３以上の施設に設けられた端末であってもよい。
【００１１】
管理サーバ１００は、第１の端末１０２や第２の端末１０３から送信されたデータ形式の異なるデータを、共通のデータ形式に変換して保存する。保存したデータは、各医療施設で利用する患者の情報と紐付けられているため、異なる医療施設から送信されたデータであっても、当該患者の情報の全てを各医療施設の端末から参照することができる。また、管理サーバ１００を介して、管理サーバ１００に保存されたデータを用いて各端末同士でカンファレンスをすることができる。このとき、管理サーバ１００に保存されたデータを各端末に送信するのではなく、各端末から送信される操作情報に基づいて制御が行われ、データを表示する際には、該操作情報に基づいて管理サーバ１００から送信される表示情報を用いて、各端末の表示部が表示する。
【００１２】
第１の端末１０２は、第１の端末１０２の全体を制御する制御部１１２と、取込部１２２と、表示部１３２と、ネットワーク１０１を介して管理サーバ１００や第２の端末１０３等とデータを送受信する通信部１４２を含み、システムバス１５２により各構成要素が接続される。取込部１２２は、管理サーバ１００に保存しようとする画像データ等を端末に取り込むスキャナやカメラ等であってよい。なお、取込部１２２は、端末内に限定することなく、例えば、端末に接続されたスキャナやカメラ等の機能を有する外部装置であってもよい。表示部１３２は、管理サーバ１００等から送信された表示情報に基づいて表示を行う。第２の端末１０３も第１の端末１０２と同様の構成を有しており、制御部１１３と、取込部１２３と、表示部１３３と、通信部１４３と、各構成要素を接続するシステムバス１５３を含む。
【００１３】
第１の端末１０２および第２の端末１０３は、ネットワークに接続され、表示情報に基づく医療用画像の表示可能な装置、カンファレンスが可能なウェブカメラなどのビデオ機器、およびマイクなどの音声機器を備える汎用な装置であってよい。例えば、小型ＰＣ、携帯電話、スマートフォンなどの携帯用端末、またはディスクトップＰＣなどの据え置きの情報処理装置等であってもよい。ここで、本実施形態において、カンファレンスとは、２以上の複数の端末で行われ、互いの映像および音声を相互に伝達することにより行うカンファレンスであるが、映像無しの音声のみのカンファレンスであってもよい。また、医療用画像とは、ＭＲＩ画像やＣＴ画像などの医療現場で使用される２Ｄ（２次元）または３Ｄ（３次元）の画像であるが、これに限定することなく、一般に広く使用されている、例えば、ＪＰＥＧやＧＩＦなどの画像であってもよい。
【００１４】
なお、医療施設によっては、インターネット回線などのネットワーク回線が不十分な場合がある。この場合は、例えば、Ｗｉ−Ｆｉ等の無線ＬＡＮを利用することで、新たにネットワーク回線を敷設する必要は無くなる。具体的には、政府の医療分野の「セキュアネットワークガイドライン」に適合する安全なネットワークを構築することができるＶＰＮルータを携帯化して、回線の新規敷設することなく、セキュリティの高いネットワークを利用することができる。また、この場合、機器管理サーバによるルータの利用監視も可能となる。
【００１５】
なお、本実施形態に係る遠隔医療ネットワークシステムは、いわゆるクラウドコンピューティングによって提供される。ここでいうクラウドコンピューティングとは、管理サーバ１００のようなコンピューティング資源を、ソフトウェア、ハードウェア、処理性能、記憶領域、ファイル、データなどを含めて、ネットワークを通じて外部の利用者に提供する形態をいう。
【００１６】
次に、図２を参照して、管理サーバ１００の構成について説明する。管理サーバ１００は、管理サーバ１００の全体を制御する制御部２０１と、変換部２０２と、紐付け部２０３と、医療用画像や患者情報などのデータを保存（記憶）するデータベース２０４と、カンファレンス処理部２０５を備える。変換部２０２は、第１の端末１０２や第２の端末１０３で取り込まれて送信された画像データ等を、ＤＩＣＯＭ画像等の医療用画像に変換する。なお、本実施形態では、ＤＩＣＯＭ画像を例に説明しているが、他の規格であっても、共通のデータ形式を有する医療用画像であってもよい。紐付け部２０３は、変換部２０２で変換された医療用画像に紐付く、予めデータベース２０４に保存された患者情報と紐付けて、データベース２０４に保存（登録）する。カンファレンス処理部２０５は、管理サーバ１００と接続された端末同士のカンファレンス処理を行う。なお、管理サーバ１００は、第１の端末１０２や第２の端末１０３以外にも、例えば、医療施設に備えられる医療機器等と直接接続され、検査画像等のデータを直接やり取りしてもよい。
【００１７】
次に、図３を参照して、第１の端末１０２から画像データ等を管理サーバ１００に保存し、第２の端末１０３から保存した医療用画像を閲覧する際の処理について説明する。まず、ステップＳ１０１で、第１の端末１０２の取込部１２２が画像データ等のデータを取込む。次に、ステップＳ１０２で、制御部１１２が取り込んだデータに対して患者情報等の付加情報を付加して、通信部１４２を介して管理サーバ１００に送信する。次に、ステップＳ１０３で、変換部１０２が第１の端末１０２から送信されたデータをＤＩＣＯＭ画像等の医療用画像に変換して、紐付け部２０３が受信したデータに付加された付加情報を参照して変換した医療用画像を、予めデータベース２０４に保存された患者情報と紐付けてデータベース２０４に保存（登録）する。
【００１８】
データベース２０４に保存する際、または保存した後、管理サーバ１００内の不図示の判定部により、保存する変換した医療用画像や紐付けられた情報が所定の条件を満たすか否かを判定してもよい。例えば、所定の条件を満たしていない場合、所定の条件を満たす要求を第１の端末１０２に送信する。そして、要求を受けた第１の端末１０２で、条件を満たすように、入力等をして、再度、管理サーバ１００に送信する。所定の条件は、例えば、サインの未入力や必要な項目のチェック漏れ、アップデート後で入力が必要となった項目等である。この管理サーバ１００からの要求は、メール送信や他の通知方法を用いてよい。管理サーバ１００からの要求により再度送信されたデータは、紐付け部２０３が紐付けしてデータベース２０４に保存する。
【００１９】
次に、ステップＳ１０４で、第２の端末１０３において、ステップＳ１０３で登録したＤＩＣＯＭ変換された医療用画像を閲覧する。具体的には、第２の端末１０３における操作情報が管理サーバ１００に送信され、当該操作情報に基づいて制御部２０１が第２の端末１０３で表示する医療用画像の表示情報を生成する。生成した表示情報を第２の端末１０３に送信し、第２の端末１０３の表示部１３３が受信した表示情報に基づいて医療用画像を表示する。
【００２０】
次に、図４を参照して、ステップＳ１０１〜Ｓ１０３の処理について、具体的に説明する。まず、ステップＳ４０１で、第１の端末１０２の取込部１２２は、画像データ等のデータを取込む。このとき、取り込むデータとしては、例えば、紹介状や同意書、電子カルテでない紙ベースのカルテ等をカメラ等で撮影またはスキャナ等でスキャンした、ＪＰＥＧまたはＢＭＰ等の画像データ、その他ＤＩＣＯＭ画像とは異なるデータ形式のデータ等であってよい。なお、データを取り込む際、例えば、患者と医師の両方のセキュリティカードをそれぞれ認証した後でなければ、データを取込めないような構成とすることで、セキュリティ性を向上させることができる。従って、不要なデータや、データを取り込む際の意図しない改変や変更がされないようにすることができる。
【００２１】
次に、ステップＳ４０２で、制御部１１２は、ステップＳ４０１で取り込んだデータに対して患者情報等の付加情報を付加して、通信部１４２を介して管理サーバ１００に送信する。この時、制御部１１２は、画像送信手段として機能する。送信後は、第１の端末１０２の取込部１２２で取り込んだデータや付加情報を第１の端末１０２内から削除してもよい。データ等を削除することで、端末上でのデータの改ざん等が行われることを防ぐことができる。なお、このとき、負荷する情報としては、患者情報の他に、各種検査情報や画像情報、紹介状情報等の情報であってもよい。
【００２２】
また、付加情報を付加する際には、ユーザが必要に応じて選択してもよく、予め登録された設定に応じて自動的に付加されてもよい。例えば、紹介状や同意書等である場合、指やタッチペン、キーボード等の入力手段により、サイン等の書き込み（アノテーション）をすることにより情報を付加してもよい。さらに、サイン等を予め登録しておくことで、入力したサインが正しいもの（本人のもの）であるか否かを照合して、認証することができる。正しく認証ができたサインを付加することで、データの信頼性やセキュリティ性を向上させることが可能になる。
【００２３】
なお、管理サーバ１００に送信したデータは、端末に保存することなく、送信完了後、自動的に削除されるように構成してもよい。例えば、ＷｉＦｉなどの通信トラブルが発生して、管理サーバ１００との通信ができない場合、通信が回復するまで、管理サーバ１００に送信するためのデータを保存しておく。そして、通信回復後、データを管理サーバ１００に送信して、送信完了後、端末内のデータを削除する。
【００２４】
そして、ステップＳ４０３で、管理サーバ１００は、送信されたデータを受信する。次に、ステップＳ４０４で、変換部２０２は、ステップＳ４０３で受信したデータをＤＩＣＯＭ画像等の医療用画像に変換する。次に、ステップＳ４０５で、紐付け部２０３は、変換した医療用画像を予めデータベース２０４に保存された患者情報と紐付けてデータベース２０４に保存（登録）する。この時、予めデータベース２０４に保存された患者情報は、例えば、ＩＤ等で管理される。また、端末から送信されたデータに付加された患者情報に基づく患者のＩＤがデータベース２０４に無い場合は、新たにＩＤを発行して変換した医療用画像と共に新規に保存（登録）する。なお、本実施形態では、ＩＤを用いているが、例えば、マイナンバー制度を利用してもよく、識別可能な識別情報であればよい。
【００２５】
次に、図５を参照して、ステップＳ１０４の処理について、具体的に説明する。まず、ステップＳ５０１で、第２の端末１０３において不図示の操作部が医療用画像を閲覧（表示）するための操作を行う。次に、ステップＳ５０２で、ステップＳ５０１の操作の操作情報を、通信部１４３を介して管理サーバ１００に送信する。
【００２６】
そして、ステップＳ５０３で、管理サーバ１００は、操作情報を受信する。次に、ステップＳ５０４で、受信した操作情報に基づいて第２の端末１０３で表示させるための医療用画像をデータベース２０４から検索する。次に、ステップＳ５０５で、検索した医療用画像を第２の端末１０３で表示するための表示情報を生成する。次に、ステップＳ５０６で、不図示の送信部は、生成した表示情報を第２の端末１０３に送信する。
【００２７】
そして、ステップＳ５０７で、第２の端末１０３は、通信部１４３を介して表示情報を受信する。次に、ステップＳ５０８で、表示部１３３は、受信した表示情報に基づいて医療用画像を表示する。このとき、実際の医療用画像を送受信するのではなく、表示情報を送受信することで、遠隔地などネットワーク回線の帯域が狭い地域であっても、ＤＩＣＯＭ変換された医療用画像をストレス無く閲覧（表示）することができる。また、医療用画像は、圧縮処理など処理をしていないため、各端末が同じ表示装置を使用している場合、表示された医療用画像の忠実度は同じである。
【００２８】
次に、図６を参照して、第１の端末１０２から第２の端末１０３へカンファレンスを実行する際の処理について説明する。まず、ステップＳ６０１で、第１の端末１０２の不図示の操作部によりカンファレンス開始の操作が行われる。次に、ステップＳ６０２で、ステップＳ６０１の操作情報を、通信部１４２を介して管理サーバ１００に送信する。
【００２９】
そして、ステップＳ６０３で、管理サーバ１００は、操作情報を受信する。次に、ステップＳ６０４で、管理サーバ１００のカンファレンス処理部２０５は、受信した操作情報に基づいて第２の端末１０３へカンファレンスの要求を行う。そして、ステップＳ６０５で、第２の端末１０３は、カンファレンス処理部２０５のカンファレンス要求に応じて、カンファレンスを実行する。次に、ステップＳ６０６で、第２の端末１０３は、カンファレンス実行を管理サーバ１００に応答する。
【００３０】
そして、ステップＳ６０７で、第２の端末１０３からの応答を受けて、管理サーバ１００は、カンファレンスで使用される共有画像をデータベース２０４から検索する。次に、ステップＳ６０８で、カンファレンス処理部２０５が備える不図示の画像共有部は、検索した医療用画像を第１の端末１０２および第２の端末１０３で表示するための表示情報を生成する。次に、ステップＳ６０９で、生成した、カンファレンス時に各端末間で共有表示するための医療用画像等の表示情報を第１の端末１０２および第２の端末１０３に送信する。
【００３１】
次に、ステップＳ６１０で、第１の端末１０２は、通信部１４２を介して表示情報を受信する。そして、ステップＳ６１１で、表示部１３２は、受信した表示情報に基づいて医療用画像を表示する。また、ステップＳ６１２で、第２の端末１０３は、通信部１４３を介して表示情報を受信する。そして、ステップＳ６１３で、受信した表示情報に基づいて医療用画像を表示する。
【００３２】
以上により、端末間でカンファレンスを実行し、カンファレンス中に使用する画像を各端末に表示することができる。なお、本実施形態では、第１の端末１０２から第２の端末１０３へのカンファレンス実行の処理を説明したが、これに限定することなく、第２の端末１０３から第１の端末１０２へのカンファレンスも実行可能である。この場合、上記の処理が逆向きとなる。
【００３３】
以上、本実施形態によれば、各医療機関に設けられた端末から送信された様々なデータを、統一のデータ形式の医療用画像に変換して保存し、どのような回線状況であってもネットワークを通じて当該医療用画像を表示することができる医療支援サーバを提供することができる。
【００３４】
なお、本実施形態では、医療施設に設けられた端末を介して管理サーバにアップロードすることについて説明したが、これに限定することなく、例えば、薬局や公共機関等の端末を用いてもよい。この場合、薬局等の端末で患者情報を参照することで、より適切な薬の処方が可能となる。また、各端末から管理サーバにデータをアップロードする場合、パスワードや認証カード、生体認証を用いることで、個人情報等の情報流出を防ぎ、セキュリティ性の高い状態で、データをアップロードすることができる。
【００３５】
また、本実施形態により、最新の検査機器等様々な機器を有する大学病院などの大きな医療施設で診察・治療した後に、診療所などの小さな医療施設で経過観察をする際には、各医療施設からデータがアップロードされるので、データを各医療施設で共有することができる。また、引っ越し等で通院していた医療施設を変える場合であっても、管理サーバを介してデータを共有することができる。さらに、変換する医療画像を、世界共通の規格であるＤＩＣＯＭ画像とすることで、海外から日本へ診察・治療を希望する場合にも、管理サーバに保存されているＤＩＣＯＭ画像を参照することで、適切な医療施設を紹介することが可能である。逆に、日本から海外へ診察・治療を希望する場合であっても適切な医療施設を紹介することが可能である。
【００３６】
また、例えば、治験などの臨床試験を行う際には、データベース２０４に格納されている情報に基づいて、治験コーディネーター（ＣＲＣ：Ｃｌｉｎｉｃａｌ  Ｒｅｓｅａｒｃｈ  Ｃｏｏｒｄｉｎａｔｏｒ）が専門医等の判定委員に治験の経過状況の判定（画像中央判定）を依頼する。この依頼に応じて、各判定委員は、図５に示す処理のように、各判定委員が操作する端末から送信される操作情報に基づいて受信した表示情報に従って端末上に表示された画像等を確認して、判定を行う。そして、判定結果を操作情報と共に、管理サーバ１００に送信して、紐付け部２０３により情報を紐付けしてデータベース２０４に保存する。
【００３７】
なお、ＣＲＣでなくとも、予め所定の条件（例えば、判定委員への依頼に際して必要な治験データの数等）を登録することにより、自動的に判定委員に判定を依頼してもよい。また、判定委員に依頼することなく、管理サーバ１００上に複数の判定部を設け、各判定部に判定基準（それぞれ異なる判定基準であってよい）を登録し、自動的に判定することで、より迅速にデータを収集することができる。判定部が複数存在する場合は、判定基準については、例えば、治験における副作用や病状の改善状況（例えば、画像診断や検査結果における数値）等を判定するための基準であってよい。このとき、それぞれの判定部で、異なる判定基準を設定することで、より良い治験データを得ることができる。
【００３８】
これにより、専門医等の判定委員が１か所に集まって判定をする必要がないため、判定委員がそれぞれ遠隔地（日本国内だけでなく、世界各国）に滞在している場合であっても、迅速に判定が可能となる。また、管理サーバ１００から判定をするための画像をダウンロードするのではなく、表示情報を受信し、その表示情報に基づいて端末上に表示されるので、周波帯域の狭い地であっても、ストレスなく、判定をすることが可能である。
【符号の説明】
【００３９】
１００  管理サーバ
１０１  ネットワーク
１０２  第１の端末
１０３  第２の端末
２０２  変換部
２０３  紐付け部
２０４  データベース
【図１】
2016224536.tif 000003
【図２】
2016224536.tif 000004
【図３】
2016224536.tif 000005
【図４】
2016224536.tif 000006
【図５】
2016224536.tif 000007
【図６】
2016224536.tif 000008